(57)【要約】【課題】不特定多数の人が同じリモコン装置を共有で使用する場合でも、リモコン装置に個人を特定するための個人ＩＤ情報の入力部を備え、プライバシーを確保しつつ、リモコン装置を用いた個人情報の検索が可能なカラオケシステムを提供する。  【解決手段】カラオケシステム１００は、カラオケ装置にカラオケ曲の演奏指示を行うリモコン装置２００と、前記リモコン装置２００からの指示情報を受けてカラオケ曲の演奏をするカラオケ装置３００と、該カラオケ装置２００とネットワークを介して接続されたサーバ装置４００とから構成される。前記リモコン装置２００は、使用者の個人ＩＤ情報を入力するための個人ＩＤ情報入力部と、入力ボタン部２１２と、使用者の個人ＩＤ情報と指示情報を対にしてカラオケ装置２００に送信する送受信部２１５と、応答情報を受信する送受信部２１５と、該受信した応答情報を表示するディスプレイ画面部２１１とを備える。【選択図】  図１
2005107269.tif 000002
【特許請求の範囲】
【請求項１】
カラオケ装置にカラオケ曲の演奏指示を行うリモコン装置と、前記リモコン装置からの指示情報を受けてカラオケ曲の演奏をするカラオケ装置と、該カラオケ装置とネットワークを介して接続されたサーバ装置とからなるカラオケシステムであって、
前記リモコン装置は、使用者の個人ＩＤ情報を入力するための個人ＩＤ情報入力部と、カラオケ曲の演奏指示などの指示情報を受け付ける指示情報入力部と、前記入力された使用者の個人ＩＤ情報および指示情報を対にしてカラオケ装置に送信する送信部と、前記指示情報に基づいてカラオケ装置から送信された応答情報を受信する受信部と、該受信した応答情報を表示する表示部とを備え、
前記カラオケ装置は、前記リモコン装置から使用者の個人ＩＤ情報と指示情報とを受信する受信部と、該指示情報に基づいた処理を実行する処理部と、該指示情報に対する応答情報を作成して前記リモコン装置に送信する送信部と、前記実行した処理履歴情報を前記個人ＩＤ情報と関連付けて前記サーバ装置に送信する履歴情報送信部とを備え、
前記サーバ装置は、前記カラオケ装置における演奏処理などの履歴情報を前記個人ＩＤ情報に関連付けて記憶する履歴情報記憶部を備えたことを特徴とするカラオケシステム。
【請求項２】
前記請求項１に記載のカラオケシステムに用いられるリモコン装置であって、
前記カラオケ装置間の通信を、ＢＬＵＥＴＯＯＴＨで行うための双方向通信部を備えたことを特徴とする請求項１に記載のカラオケシステムに用いられるリモコン装置。
【請求項３】
前記請求項１に記載のカラオケシステムに用いられるリモコン装置であって、
前記個人ＩＤ情報入力部は、使用者の指紋情報又は声紋情報を入力するものであることを特徴とする請求項１に記載のカラオケシステムに用いられるリモコン装置。
【発明の詳細な説明】
【技術分野】
【０００１】
この発明は、カラオケシステムに関し、更に詳述すれば、顧客が自分のＩＤ(identification)情報を入力することができ、該ＩＤ情報により顧客の演奏履歴などの個人情報を管理することができるカラオケシステムに関するものである。
【背景技術】
【０００２】
カラオケ装置に曲のリクエスト予約（演奏要求）を入力するためのカラオケ用リモコン装置があるが、従来のものは、曲番号の送信機能を持っているのみで、リクエスト予約に必要な曲番号は、ユーザが冊子形態の歌本をめくって希望する曲番号を見つけて、リモコン装置に入力していた。
【０００３】
そこで、本願出願人は、検索キーとしてのかな文字や数字を入力するためのキーボードやタッチパネルなどの操作入力部と、検索キーワードや検索結果を表示するディスプレイと、検索用の楽曲データベースと、リクエスト曲の検索機能を備え、所望の曲を検索キーワードに基づいて検索し、選択した曲をリモコン装置でリクエスト予約できるカラオケ用リモコン装置を開発した。このようなカラオケ用リモコン装置によれば、ユーザは歌本をめくらなくても、歌いたい曲を見つけてリクエストを行うことができるようになる。
【０００４】
即ち、ユーザは歌いたい曲を見つけるために、カラオケ用リモコン装置に検索のカテゴリ（曲名検索,歌手名検索,ジャンル検索、新譜検索、発売年検索など）を入力し、更に、検索用のキーワード（曲名,歌手名,ジャンル,新譜発売月,発売年検索など）を入力すると、指定した検索カテゴリと検索キーワードで検索が実行され、検索結果として検索条件に合致した曲がリスト表示される。そして、ユーザはカラオケ用リモコン装置に表示された検索結果より所望の曲を選択して、その曲をカラオケ装置にリクエスト予約することができる（特願2002-343323）。
【０００５】
検索ができるカラオケ用リモコン装置としては、その他、特許文献１、特許文献２に記載のものがある。
【特許文献１】特開2000-20077号公報
【特許文献２】特開2000-99048号公報
【発明の開示】
【発明が解決しようとする課題】
【０００６】
従来のリモコン装置では、顧客のＩＤ情報を入力する機能や顧客毎の演奏履歴を検索・表示する機能は備えていなかった。
【０００７】
また、個人情報の検索機能をリモコン装置に追加する場合には、カラオケボックスのような不特定多数の人が同じリモコンを共有使用する環境では、個人情報を他人に読み取れるなどのプライバシー侵害の恐れもあった。
【０００８】
この発明は、このような事情に鑑みなされたものであって、プライバシーを確保しつつ、リモコン装置を用いた個人情報の検索が可能なカラオケシステム、カラオケシステムに用いられるカラオケ用リモコン装置を提供することを目的とする。
【課題を解決するための手段】
【０００９】
この発明は、上記目的を達成するため、カラオケ装置にカラオケ曲の演奏指示を行うリモコン装置と、前記リモコン装置からの指示情報を受けてカラオケ曲の演奏をするカラオケ装置と、該カラオケ装置とネットワークを介して接続されたサーバ装置とからなるカラオケシステムであって、前記リモコン装置は、使用者のＩＤ情報を入力するためのＩＤ情報入力部と、カラオケ曲の演奏指示などの指示情報を受け付ける指示情報入力部と、前記入力された使用者のＩＤ情報および指示情報を対にしてカラオケ装置に送信する送信部と、前記指示情報に基づいてカラオケ装置から送信された応答情報を受信する受信部と、該受信した応答情報を表示する表示部とを備え、前記カラオケ装置は、前記リモコン装置から使用者のＩＤ情報と指示情報とを受信する受信部と、該指示情報に基づいた処理を実行する処理部と、該指示情報に対する応答情報を作成して前記リモコン装置に送信する送信部と、前記実行した処理履歴情報を前記ＩＤ情報と関連付けて前記サーバ装置に送信する履歴情報送信部とを備え、前記サーバ装置は、前記カラオケ装置における演奏処理などの履歴情報を前記ＩＤ情報に関連付けて記憶する履歴情報記憶部を備えたことを特徴とするカラオケシステムである。
【００１０】
また、本発明の第２発明のリモコン装置は前記第１発明のカラオケシステムに用いられるリモコン装置において、前記カラオケ装置間の通信を、ブルートゥース（Bluetooth）で行うための双方向通信部を備えたことを特徴とするリモコン装置である。
【００１１】
また、本発明の第３発明のリモコン装置は前記第１発明のカラオケシステムに用いられるリモコン装置において、前記個人ＩＤ情報入力部は、使用者の指紋情報又は声紋情報を入力するものであることを特徴とするリモコン装置である。
【００１２】
なお、以上の構成要素の任意の組合せ、本発明の表現を方法、装置、システム、記録媒体、コンピュータプログラムなどの間で変換したものもまた、本発明の態様として有効である。
【発明の効果】
【００１３】
本発明のカラオケシステムによれば、不特定多数の人が同じリモコン装置を共有で使用する場合でも、該カラオケ用リモコン装置に個人を特定するためのＩＤ情報の入力部を備えた構成としたため、プライバシーを確保しつつ、リモコン装置を用いた個人情報の検索が可能なカラオケシステム、カラオケシステムに用いられるカラオケ用リモコン装置とすることが出来る。
【発明を実施するための最良の形態】
【００１４】
本発明の通信カラオケシステムは、カラオケ装置にカラオケ曲の演奏指示を行うリモコン装置２００と、前記リモコン装置からの指示情報を受けてカラオケ曲の演奏をするカラオケ装置３００と、該カラオケ装置２００とネットワークを介して接続されたサーバ装置４００とからなるカラオケシステム１００であって、
前記リモコン装置２００は、使用者の個人ＩＤ情報を入力するための個人ＩＤ情報入力部（入力ボタン部２１２，２２２，２３２、指紋入力エリア部２１３、音声認識用マイク２１４）と、カラオケ曲の演奏指示などの指示情報を受け付ける指示情報入力部（入力ボタン部２１２，２２２，２３２）と、前記入力された使用者の個人ＩＤ情報および指示情報を対にしてカラオケ装置３００にブルートゥース（Bluetooth）を用いて送信する送信部（送受信部２１５，２２５，２３５）と、前記指示情報に基づいてカラオケ装置３００から送信された応答情報をブルートゥース（Bluetooth）を用いて受信する受信部（送受信部２１５，２２５，２３５）と、該受信した応答情報を表示する表示部（ディスプレイ画面部２１１，２２２，２３２）とを備え、
前記カラオケ装置３００は、前記リモコン装置から使用者の個人ＩＤ情報と指示情報とをブルートゥース（Bluetooth）を用いて受信する受信部（図示しない）と、該指示情報に基づいた処理を実行する処理部（図示しない）と、該指示情報に対する応答情報を作成してブルートゥース（Bluetooth）を用いて前記リモコン装置に送信する送信部（図示しない）と、前記実行した処理履歴情報を前記個人ＩＤ情報と関連付けて前記サーバ装置４００に送信する履歴情報送信部（図示しない）とを備え、
前記サーバ装置は、前記カラオケ装置における演奏処理などの履歴情報を前記個人ＩＤ情報に関連付けて記憶する履歴情報記憶部（データベース４１０，演奏履歴データベース４１１，個人ＩＤデータベース４１２，店舗ＩＤデータベース）を備えたことを特徴とするカラオケシステム１００である。
【実施例】
【００１５】
この発明のカラオケシステム１００は、カラオケ用リモコン装置２００、カラオケ装置３００、データベース４１０を備えたサーバ装置４００から構成される（図１参照）。
【００１６】
データベース４１０は、演奏履歴を記憶する演奏履歴データベース４１１、使用者の個人ＩＤを管理する個人ＩＤデータベース４１２、カラオケ装置が設置された店舗の識別情報を管理する店舗ＩＤデータベース４１３を備える。
【００１７】
図２は、前記演奏履歴データベース４１１の構成例を示した図である。データベース４１１は、カラオケ演奏された曲番情報（演奏曲番）、演奏時刻、その時に採点された得点情報、演奏時の曲のキー情報（オリジナル若しくは、調整後のキー情報）、演奏時の曲のテンポ情報（オリジナル若しくは、調整後のテンポ情報）などを当該曲の演奏指示を行った個人ＩＤ情報および演奏したカラオケ装置が設置された店舗ＩＤ情報とともに記憶している。
【００１８】
図３は、前記個人ＩＤデータベース４１２の構成例を示した図である。データベース４１２は、登録された個人ＩＤ情報に対応つけて、氏名情報、年齢情報、性別情報、住所情報、電話番号情報、生年月日情報、演奏累計情報、登録日情報、および個人認証を行うための情報として個人の指紋情報や声紋情報などを記憶している。
【００１９】
図４は、前記店舗ＩＤデータベース４１３の構成例を示した図である。データベース４１３は、登録された店舗ＩＤ情報に対応つけて、店舗名情報、店舗住所情報、登録日情報などを記憶している。
【００２０】
図５は、上記カラオケ用リモコン装置２００の具体的態様の一例を示した概略構成図である。リモコン装置２１０は、各種情報を表示するディスプレイ画面部２１１、文字入力や指示情報を入力する入力ボタン部２１２、個人ＩＤ情報を入力するための指紋入力エリア部２１３、音声認識用マイク２１４、カラオケ装置３００との間でブルートゥース（Bluetooth）を用いて情報の送受信を行う送受信部２１５を備えている。
【００２１】
本リモコン装置の動作については後述するが、前記指紋入力エリア部２１３および音声認識用マイク２１４を備えた構成としたことで、使用者が指紋入力または音声入力を行うことで、個人ＩＤ情報を利用した個人検索モードに切り替わる構成とすることが可能である。
【００２２】
図６は、上記カラオケ用リモコン装置２００の他の具体的態様の一例を示した概略構成図である。リモコン装置２２０は、各種情報を表示するディスプレイ画面部２２１、文字入力や指示情報などを入力する入力ボタン部２２２、個人ＩＤ情報を記録したＩＤカード５００を接続するためのＩＤカードＩ／Ｆ２２６、カラオケ装置３００との間で情報の送受信を行う送受信部２２５を備えている。このような構成とすることで、ＩＤカード５００をＩＤカードＩ／Ｆ２２６に接続している間のみ個人検索モードに切り替わる操作体系とすることができる。
【００２３】
図７では、上記カラオケ用リモコン装置２００のさらに他の具体的態様の一例を示した概略構成図である。リモコン装置２３０は、各種情報を表示するディスプレイ画面部２３１、文字入力や指示情報やＩＤ番号などを入力する入力ボタン部２３２、カラオケ装置３００との間で情報の送受信を行う送受信部２３５、個人ＩＤ情報を使った検索を行うための個人検索モード切替ボタン２３７を備えている。前記個人検索モード切替ボタン２３７はグリップ型の大型の押しやすいボタン構成としており、このような構成とすることで、ボタンを押している間のみ個人検索モードに切り替わる操作体系とすることができる。
【００２４】
図８および図９は、上記リモコン装置２１０、２２０、２３０のディスプレイ画面部２１１，２２１，２３１に表示された画面例を示しており、図８は通常検索モード時の検索画面表示例を示しており、図９は個人ＩＤ情報を使用した個人演奏履歴検索モード時の画面表示例を示した図である。
【００２５】
次に本発明のカラオケシステムの処理の流れを図１０，１１のフローチャートを参照しながら説明する。
【００２６】
まず、ユーザが自身のＩＤ情報を登録する際の流れを図１０のフォローチャートに基づいて説明する。
【００２７】
ユーザがリモコン装置２１０を使用して、ＩＤ情報登録処理を指示すると、リモコン装置２１０のＲＯＭに記憶されたＩＤ情報登録処理プログラムが起動し、該プログラムに基づいて、リモコン装置２１０の制御部はＩＤ登録画面をディスプレイ画面部２１１に表示する（ステップ１、以下、ステップをＳと略記する、図面においても同じ）。ユーザは、該表示画面上の指示情報に基づいて、氏名情報、年齢情報、性別情報、住所情報、電話番号情報、生年月日情報を入力し、更に、バイタル情報で個人認証を行うために個人の指紋情報や声紋情報などを入力する。指紋情報は、指紋入力エリア部２１３から入力し、又、声紋情報はマイク２１４から入力する。
【００２８】
ＩＤ情報が入力されると（Ｓ２）、ＩＤ情報登録処理プログラムに基づいてリモコン装置２１０の制御部は、入力されたＩＤ情報をカラオケ装置３００へ送信する（Ｓ３）。
【００２９】
カラオケ装置３００の制御部は、リモコン装置２１０より前記ＩＤ情報を受信したことを検出すると（Ｓ１１）、ＩＤ情報登録処理プログラムに基づいて、受信したＩＤ情報をサーバ装置４００に送信する（Ｓ１２）。
【００３０】
サーバ装置４００は、カラオケ装置３００から前記ＩＤ情報を受信したことを検出すると（Ｓ２１）、ＩＤ情報登録処理プログラムに基づいてサーバ装置４００の制御部は、受信したＩＤ情報を個人ＩＤデータベース４１２に記憶する。その際、図３に示したような個人ＩＤ番号（68923325）を自動的に付加する。そして、付加した個人ＩＤ番号を含んだ登録完了通知をカラオケ装置３００に送信する（Ｓ２３）。
【００３１】
カラオケ装置３００は、前記登録完了通知を受信したことを検出すると（Ｓ１３）、ＩＤ情報登録処理プログラムに基づいて制御部は、登録完了通知をリモコン装置２００へ送信する（Ｓ１４）。
【００３２】
リモコン装置２００は、前記登録完了通知を受信したことを検出すると（Ｓ４）、前記ＩＤ情報登録処理プログラムに基づき制御部は、登録完了メッセージをディスプレイ画面部２２１表示する。
【００３３】
次に、個人ＩＤ情報を登録済みのユーザが、自身のＩＤ情報に基づいて、過去の演奏履歴を検索する流れを図１１のフローチャートに基づいて説明する。
【００３４】
ユーザがリモコン装置２１０を使用して、個人ＩＤ情報入力処理を指示すると、リモコン装置２１０のＲＯＭに記憶された個人ＩＤ情報入力プログラムが起動し、該プログラムに基づいて、リモコン装置２１０の制御部は個人ＩＤ情報入力画面をディスプレイ画面部２１１に表示する。そして、ユーザが、指紋入力エリア部２１３を使用して、自身の指紋情報を入力すると、制御部は、それを検知して（Ｓ３１）、図９に示した個人検索モード画面をディスプレイ画面部２１１に表示する（Ｓ３２）。
【００３５】
ユーザが、演奏履歴検索を選択すると、それを制御部が検知して（Ｓ３３）、演奏履歴検索プログラムを起動し、該プログラムに基づいて制御部は、前記入力された個人ＩＤ情報（本例では指紋情報）と演奏履歴検索指示情報をカラオケ装置３００に送信する。
【００３６】
カラオケ装置３００は、リモコン装置２１０から前記個人ＩＤ情報（指紋情報）と演奏履歴検索指示情報を受信すると、制御部が演奏履歴検索処理プログラムを起動し、該プログラムに基づいて制御部は、前記入力された個人ＩＤ情報（指紋情報）と演奏履歴検索指示情報をサーバ装置４００に送信する（Ｓ４１）。
【００３７】
サーバ装置４００は、カラオケ装置３００から前記個人ＩＤ情報（指紋情報）と演奏履歴検索指示情報を受信すると、制御部が演奏履歴検索処理プログラムを起動し、該プログラムに基づいて制御部は、演奏履歴データベース４１１を検索して（Ｓ５１）、該当する個人ＩＤ情報から個人ＩＤ番号を特定して、該個人ＩＤ番号が付けられた演奏履歴情報をデータベースから抽出して、検索結果情報リストを作成して、該検索結果情報リストをカラオケ装置３００へ送信する（Ｓ５２）。
【００３８】
カラオケ装置３００は、サーバ装置４００から検索結果情報リストを受信すると、制御部は、該情報をリモコン装置２１０へ送信する（Ｓ４２）。
【００３９】
リモコン装置２１０は、前記検索結果情報リストを受信すると（Ｓ３５）、該個人演奏履歴検索処理プログラムに基づいて制御部は、前記検索結果情報リストをディスプレイ画面部２１１に表示する（Ｓ３６）。
【００４０】
そして、ユーザが表示されたリストからカラオケ演奏する曲を選択して演奏の指示を行うと、制御部はそれを検知して（Ｓ３７）、演奏指示情報と曲番情報と個人ＩＤ番号をカラオケ装置３００へ送信する（Ｓ３８）。
【００４１】
カラオケ装置３００は、前記演奏指示情報，曲番情報，個人ＩＤ番号情報を受信すると、カラオケ演奏処理プログラムを起動して、制御部は、該プログラムに基づいて、カラオケ演奏を開始する（Ｓ４３）。
【００４２】
そして、カラオケ装置３００の制御部は、前記演奏した曲番情報、個人ＩＤ番号情報その他、演奏時刻、店舗ＩＤ情報、得点情報、キー情報、店舗情報などを演奏履歴情報として、サーバ装置４００へ送信する（Ｓ４４）。
【００４３】
サーバ装置４００は、カラオケ装置３００から前記演奏履歴情報を受信すると、演奏履歴更新プログラムを起動して、制御部は該プログラムに基づいて、演奏履歴データベース４１１に演奏履歴を追加記憶すると共に、個人ＩＤデータベース４１２の演奏累計情報を更新する（Ｓ５３）。
【００４４】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００４５】
【図１】この発明の実施の形態であるカラオケシステムのシステム構成を示した構成図である。
【図２】この発明の実施の形態にかかるカラオケシステムの演奏履歴データベース４１１の構成例を示した説明図である。
【図３】この発明の実施の形態にかかるカラオケシステムの個人ＩＤデータベース４１２の構成例を示した説明図である。
【図４】この発明の実施の形態にかかるカラオケシステムの店舗ＩＤデータベース４１３の構成例を示した説明図である。
【図５】この発明の実施の形態にかかるカラオケシステムのカラオケ用リモコン装置２００の具体的態様の一例を示した概略構成図である。
【図６】この発明の実施の形態にかかるカラオケシステムのカラオケ用リモコン装置２００の他の具体的態様の一例を示した概略構成図である。
【図７】この発明の実施の形態にかかるカラオケシステムのカラオケ用リモコン装置２００のさらに他の具体的態様の一例を示した概略構成図である。
【図８】この発明の実施の形態にかかるカラオケシステムのリモコン装置に表示された通常検索モード時の検索画面表示例を示した図である。
【図９】この発明の実施の形態にかかるカラオケシステムのリモコン装置に表示された個人ＩＤ情報を使用した個人演奏履歴検索モード時の画面表示例を示した図である。
【図１０】この発明の実施の形態にかかるカラオケシステムにおいてユーザが自身のＩＤ情報を登録する際の流れを示したフローチャートである。
【図１１】この発明の実施の形態にかかるカラオケシステムにおいて個人ＩＤ情報を登録済みのユーザが、自身のＩＤ情報に基づいて、過去の演奏履歴を検索する流れを示したフローチャートである。
【符号の説明】
【００４６】
１００    カラオケシステム
２００    カラオケ用リモコン装置
３００    カラオケ装置（カラオケコマンダ）
４００    サーバ装置
４１０    データベース
４１１    演奏履歴データベース
４１２    個人ＩＤデータベース
４１３    店舗ＩＤデータベース
２１０、２２０、２３０    リモコン装置
２１１、２２１、２３１    ディスプレイ画面部
２１２、２２２、２３２    入力ボタン部
２１３    指紋入力エリア部
２１４    音声認識用マイク
２１５、２２５、２３５    送受信部
５００    ＩＤカード
２２６    ＩＤカードＩ／Ｆ
２３７    個人検索モード切替ボタン
【図１】
2005107269.tif 000003
【図２】
2005107269.tif 000004
【図３】
2005107269.tif 000005
【図４】
2005107269.tif 000006
【図５】
2005107269.tif 000007
【図６】
2005107269.tif 000008
【図７】
2005107269.tif 000009
【図８】
2005107269.tif 000010
【図９】
2005107269.tif 000011
【図１０】
2005107269.tif 000012
【図１１】
2005107269.tif 000013